(57)【要約】【課題】車イスで通路及び栽培ベッド間を容易に移動できる栽培施設の提供。【解決手段】温室の通路に交叉する方向に並列して栽培ベッドを設け、平面視で栽培ベッドの相互間には、暖房用の温水を流す供給パイプ６を配置する。この供給パイプ６を、通路の反対側から通路側に向けて温水の流れる往行程部と、逆に通路の反対側に向けて温水の流れる復行程部とにより構成し、往行程部から復行程部間へ移行する折り返し行程部６ａを地下に埋設して、供給パイプ６の往行程部と復行程部との間を作業者が移動できる作業スペースとし、この作業スペースの端部を通路に接続する。通路と作業スペースとの間の地面上にパイプが露出しないので、作業者及び車イスの移動が容易になる。【選択図】        図３
2004201528.tif 000002
【特許請求の範囲】
【請求項１】
温室１の通路２に交叉する方向に並列して栽培ベッド１１，…を設け、平面視で前記栽培ベッド１１，…の相互間には、暖房用の温水又は栽培用養液を流す供給パイプ６を配置し、この供給パイプ６を、通路２の反対側から通路２側に向けて温水や栽培用養液の流れる往行程部と、逆に通路２の反対側に向けて流れる復行程部とにより構成し、前記往行程部から復行程部間へ移行する折り返し行程部６ａを地下に埋設し、前記供給パイプ６の往行程部と復行程部との間を作業者が移動できる作業スペースとし通路２に接続したことを特徴とする栽培施設。
【発明の詳細な説明】
【０００１】
【発明の属する技術分野】
この発明は、栽培施設に関するものである。
【０００２】
【従来の技術】
従来技術は、温室には通路に交叉する方向に並列して栽培ベッドを設け、平面視で相互の栽培ベッド間に暖房用の温水を流すパイプレールを配置し、このパイプレールを通路の反対側から通路側に向けて温水の流れる往行程部と逆に通路の反対側に向けて温水の流れる復行程部で構成し、パイプレールの往行程部から復行程部へ移行する折り返し行程部を通路側部に臨ませて構成していた。（例えば、特許文献１）。
【０００３】
【特許文献１】
特開２００１−２６９０６４号公報（第４、第６図）
【０００４】
【発明が解決しようとする課題】
従来技術は、平面視で相互の栽培ベッド間に暖房用の温水の流れるパイプレールを配置し、このパイプレールを通路の反対側から通路側に向けて温水の流れる往行程部と逆に通路の反対側に向けて温水の流れる復行程部で構成し、パイプレールの往行程部から復行程部へ移行する折り返し行程部を通路側部に臨ませた構成であるので、通路側部にパイプレールの折り返し行程部が露出し、通路側部にはパイプレールにより凸部が形成される。
【０００５】
栽培施設で身障者が車イスで作業をする場合には、パイプレールの凸部が邪魔になり、車イスが円滑に通路を走行できないという不具合があった。そこで、この発明はこのような不具合を解消し、車イスにより通路や栽培ベッド間を円滑に走行できるようにしようとするものである。
【０００６】
【課題を解決するための手段】
この発明は、前記課題を解決するために、次のような技術的手段を講じた。
請求項１の発明は、温室１の通路２に交叉する方向に並列して栽培ベッド１１，…を設け、平面視で前記栽培ベッド１１，…の相互間には、暖房用の温水又は栽培用養液を流す供給パイプ６を配置し、この供給パイプ６を、通路２の反対側から通路２側に向けて温水や栽培用養液の流れる往行程部と、逆に通路２の反対側に向けて流れる復行程部とにより構成し、前記往行程部から復行程部間へ移行する折り返し行程部６ａを地下に埋設し、前記供給パイプ６の往行程部と復行程部との間を作業者が移動できる作業スペースとし通路２に接続したことを特徴とする。
【０００７】
前記構成によると、温室１の通路２に交叉する方向に並列されている栽培ベッド１１，…間には、暖房用の温水又は栽培用養液の流れる供給パイプ６が配置されていて、供給パイプ６の往行程部では通路２の反対側から通路２側に向けて温水や栽培用養液が流され、次いで、地下に埋設された折り返し行程部を経て復行程部を経て、更に、復行程部では通路２の反対側に向けて流れる。また、通路２に対応する供給パイプ６の往行程部と復行程部間の折り返し行程部を埋設したので、通路２と供給パイプ６との接続部を作業者が移動できる平面状の作業スペースとすることができる。
【０００８】
【発明の効果】
この発明は、前述のごとく構成したので、請求項１の発明では、通路２と作業スペースとの間の地面上にパイプが露出しないので、作業者及び車イスが容易に移動することができる。
【０００９】
【発明の実施の形態】
以下この発明について図面に示す実施例の一形態について説明する。
図１〜図４に基づき栽培施設について説明する。この実施例は、車イスを利用した身障者が容易に作業のできるような栽培施設を提供しようとするものである。
【００１０】
温室１には、図２に示すように前後一側に、あるいは、図４に示すように前後方向中央部に、左右方向の通路２を構成し、通路２の左右両端部に対向する入口にドアー３，３を設けている。温室１の前・後側壁１ａ，１ｂ及び右側壁１ｃに沿わせて温湯供給パイプ４及び温湯還流パイプ５を設け、温室１の地面上には温湯の循環する所定幅の供給パイプ６，…を多数設置し、供給パイプ６，…の始端側を温湯供給パイプ４に接続し、終端側を温湯還流パイプ５に接続し、ボイラ７の給湯側を温湯供給パイプ４の中途部に接続し、温湯還流パイプ５の中途部をボイラ７の還流側に接続している。しかして、ボイラ７からの温湯は温湯供給パイプ４、供給パイプ６，…、温湯還流パイプ５を経て、ボイラ７に還流される。
【００１１】
そして、前記供給パイプ６を、通路２の反対側から通路２側に向けて温水の流れる往行程部と、逆に通路２の反対側に向けて温水の流れる復行程部とにより構成し、この往行程部と復行程部との間を作業者が移動できる作業スペースとしている。また、往行程部と復行程部とを接続する折り返し行程部６ａを通路２に対向させ、この折り返し行程部６ａを地下に埋設している。
【００１２】
しかして、通路２の左右両側に位置する供給パイプ６，…の折り返し行程部６ａは地下に埋設しているで、通路２及び通路２の側方を平面状にして例えば８５０ミリメートルと広く構成することができ、車イス７の左・右主輪７ａ，７ａ、左・右前輪７ｂ，７ｂ及び左・右後輪７ｃ，７が楽に通路２を走行できると共に方向変換もでき、供給パイプ６の往行程部と復行程部との間を車イス７で走行することができる。
【００１３】
また、温室１の天井枠体９には吊下ワイヤ１０，…を介して栽培ベッド１１，…を吊り下げ、前記供給パイプ６の往行程部と復行程部との幅を例えば８５ｃｍとして、隣接する供給パイプ６，…の中間部に栽培ベッド１１を沿うように配置している。そして、栽培ベッド１１を吊り下げ配置するにあたり、栽培ベッド１１の栽培作物１２の根圏部１２ａを、例えば、地上６０〜１１５ｃｍ付近の高さになるように設置している。
【００１４】
このように、栽培ベッド１１を吊り下げ配置することにより、栽培ベッド１１の下方に空間部が形成され、車イス７による通路２の移動及び方向変換、並びに、前記供給パイプ６の往行程部と復行程部と間の車イス７の移動及び方向変換が容易となり、車イス７での身障者による栽培ベッド１１への栽培床（例えば、ロックウ−ル製のマット）の設置、仮移植、定移植、誘引ひも巻き付け、葉欠き、収穫等の作業を楽にすることができる。
【００１５】
また、温室内の作業をするにあたり、低い位置での作業を車イス７による身障者が担当し、高い位置での作業を高所作業車１３による健常者が担当する共同作業とすることができ、身障者の社会進出を促進することができる。
次に、図５〜図７に基づき高所作業車１３について説明する。
【００１６】
高所作業車１３は、走行車台１３ａ、昇降調節自在の左・右前輪１３ｂ，１３ｂ、左・右後輪１３ｃ，１３ｃ、走行車台１３ａを左右方向に移動させる左右の前転輪１３ｄ，１３ｄ及び後転輪１３ｅ，１３ｅ、前フレーム１３ｆ、前フレーム１３ｆの上方に設けた操作パネル１３ｇ、前フレーム１３ｆに昇降自在に取り付けられている作業台１３ｈ、手すり１３ｉ、走行車台１３ａ後部に設けたステップ１３ｊ等により構成されている。
【００１７】
そして、この左・右前輪１３ｂ，１３ｂ、及び、左・右後輪１３ｃ，１３ｃの間隔を前記供給パイプ６，…の往行程部と復行程部との幅と同じに構成し、高所作業車１３の左・右前輪１３ｂ，１３ｂ、左・右後輪１３ｃ，１３ｃを供給パイプ６，…に乗せ、供給パイプ６，６に沿って走行できるように構成している。また、走行車台１３ａの後部にステップ１３ｊを設けたので、前フレーム１３ｆ及び操作パネル１３ｇが邪魔にならず、作業者は楽に作業台１３ｈへの乗り降りをすることができる。
【００１８】
次に、図８に基づき栽培作物１２の茎部支持装置１４について説明する。
この実施例は、茎部支持装置１４の構成を簡素化し、栽培ベッド１１の上側左右両側から茎部支持装置１４を栽培ベッド１１に挟み込むようにして取り付け、装着の効率化を図ろうとするものである。
【００１９】
横断面Ｕ型の栽培ベッド１１及び栽培ベッド１１の左右両側上部の係止部１１ａ，１１ａにより栽培容器を構成し、栽培ベッド１１内に載置台１５を介して例えばロックウール製のマット１６を敷き、その上に例えばロックウール製の植付キューブ１７，…を所定間隔置きに載置し、植付キューブ１７，…に栽培作物を植え付けるものである。そして、吊下ワイヤ１０により支持されている左・右支持棒１８，１８を介して、栽培ベッド１１を吊り下げ支持する。
【００２０】
栽培ベッド１１の溝部中央には長手方向の凹溝部１１ｂを形成し、凹溝部１１ｂに養液の圧送される養液供給パイプ１９を配置し、養液供給パイプ１９から分配供給パイプ２０，…を経て植付キューブ１７，…に養液を供給し、植付キューブ１７，…からの排液を栽培ベッド１１を経由して排液回収タンク（図示省略）に回収するように構成している。
【００２１】
次に、栽培ベッド１１に装着支持する茎部支持装置１４について説明する。
この茎部支持装置１４は、例えば合成樹脂製の丸棒により主要部が構成されていて、栽培ベッド１１の上部左右両端に接触して左右方向に支持される横棒部１４ａと、横棒部１４ａの左右両端部を上向きに屈曲している左・右屈曲部１４ｂ，１４ｂと、横棒部１４ａの左右側部から下向きに設けられている左・右係止片１４ｃ，１４ｃにより構成されている。
【００２２】
しかして、栽培ベッド１１における植付キューブ１７，…の栽培作物１２の対応位置に、茎部支持装置１４の横棒部１４ａを載置し、左・右係止片１４ｃ，１４ｃを外側に広げ横棒部１４ａを屈曲させながら左・右支持棒１８，１８に左・右係止片１４ｃ，１４ｃを嵌合装着する。
【００２３】
従来の茎部支持装置として、例えば、特開２００１−２８６２２０号発明がある。この従来装置は、温室の床面に打ち込んだ左・右支柱の棚枠により栽培ベッドを支持し、左右横方向の茎部支持部材と上下方向の左・右支持脚とにより正面視門型の茎部支持装置を構成し、茎部支持装置の左・右支柱の上端部に茎部支持装置の左・右支持脚を嵌合載置する構成である。
【００２４】
このような構成であると、地面に支柱を打ち込むので施工に時間がかかり、栽培ベッドの傾斜に沿わせて支柱を設置する煩わしさもあり、また、構成部材も大型化しコスト高ともなり、また、一度敷設すると外しにくいという不具合もあった。
【００２５】
しかし、この実施例では、茎部支持装置１４を前記のように構成したので、簡素な構成としながら、栽培ベッド１１の上側から茎部支持装置１４を取り付けることができ、施工を楽にすることができ、栽培ベッド１１の広がりも防止し、栽培ベッドの耐久性を高めることができる。
【００２６】
次に、茎部支持装置１４の変形例について説明する。横棒部１４ａに左・右係止片１４ｃ，１４ｃを構成するにあたり、横棒部１４ａの左右一側に偏位した部位に左・右係止片１４ｃ，１４ｃを構成してもよい。栽培ベッド１１は前後方向に長いので、作物栽培中に左右に傾斜することがある。このような場合には、栽培ベッド１１の上向きに傾斜している側に、左・右係止片１４ｃ，１４ｃから長く突出している横棒部１４ａ部が位置するように装着すると、栽培ベッド１１の偏りを修正することができる。また、栽培ベッド１１の左右一方側に栽培施設の柱等の構造物が近接する場合、その構造物がある側に左・右係止片１４ｃ，１４ｃから長く突出している横棒部１４ａ部が位置するように装着すると、構造物がある側の茎の誘引作業において茎部支持装置１４に容易に茎を支持させることができる。尚、左・右係止片１４ｃ，１４ｃから短い側の横棒部１４ａ部にバランスウエイトを装着し、栽培ベッド１１に対する茎部支持装置１４の左右重量バランスの均一化を図るようにしてもよい。
【００２７】
次に、図９〜図１１に基づき温室の細霧冷房装置の制御方法について説明する。
この実施例は、温室の細霧冷房装置において、温室１を複数の区画に区分して細霧冷房を順次実行して、温室１の温度及び湿度の調整をするもので、細霧ポンプ２１の容量を小さいものとしながら、比較的大きな温室１全体の細霧冷房制御をしようとするものである。
【００２８】
温室１を例えば第１区画室１ａ及び第２区画室１ｂに区分し、第１・第２区画室１ａ，１ｂの左右方向一側に換気ファン２２，２２を夫れ夫れ設けると共に一側部には吸気口を形成し、換気ファン２２，２２の運転により第１・第２区画室１ａ，１ｂ内に夫れ夫れ気流を発生させ強制換気するように構成している。
【００２９】
温室１の床面には例えば支柱（図示省略）に栽培ベッド（図示省略）を載置し、栽培ベッドに所定形態の栽培床を載置して、養液供給ライン（図示省略）から栽培床に養液を供給し、各栽培床から排出された排液を栽培ベッドを経由して排液回収タンク（図示省略）に回収するように構成している。
【００３０】
第１・第２区画室１ａ，１ｂの例えば天井部下方には、原水を細霧状に噴射する噴射ノズルの多数設けられている細霧管２３，…を配置している。細霧ポンプ２１から給水管２４を経由して、第１・第２区画室１ａ，１ｂの細霧管２３，…に原水が夫れ夫れ供給される。すると、細霧管２３，…の噴射ノズルから第１・第２区画室１ａ，１ｂを流れる気流に向けて原水が噴射され、細霧が蒸発する際の気化熱により空気を冷却し室内を冷却する。
【００３１】
図１０に示すように、制御部２５の入力側には、入力インターフェイスを介して、１回当たりの細霧冷房時間を設定する細霧冷房設定タイマ２６、１回当たりの細霧冷房休止時間を設定する細霧冷房休止設定タイマ２７、例えば第１区画室１ａ内の温度を測定する室内温度センサ２８、温室１外に設置されている外気温度センサ２９、例えば第１区画室１ａ内の湿度を測定する室内湿度センサ３０、温室１外に設置されている外気湿度センサ３１、温室１内の目標温度を設定する室内温度設定ダイヤル３２、温室１内の目標湿度を設定する室内湿度設定ダイヤル３３、及びＯＮ・ＯＦＦスイッチ３４が、夫れ夫れ接続されている。
【００３２】
また、制御部２５の出力側には、出力インターフェイスを介して、細霧ポンプ２１駆動用の細霧モータ３５、換気ファン２２，２２駆動用のファンモータ３６，３６、第１区画室１ａの第１供給弁３７駆動用の第１弁駆動手段３８、第２区画室１ｂの第２供給弁３９駆動用の第２弁駆動手段４０、第１区画室１ａの第１逃し弁４１を駆動する第１逃し弁駆動手段４２、第２区画室１ｂの第２逃し弁４３を駆動する第２逃し弁駆動手段４４が、夫れ夫れ接続されている。
【００３３】
細霧冷房を開始するにあたり、オペレータは室内温度設定ダイヤル３２及び室内湿度設定ダイヤル３３により室内の温度及び湿度を設定し、細霧冷房設定タイマ２６で１回当たりの細霧冷房時間を設定し、細霧冷房休止設定タイマ２７により１回当たりの細霧冷房休止時間を設定し、ＯＮ・ＯＦＦスイッチ３４をＯＮすることにより、温室内の細霧冷房制御が開始される。
【００３４】
細霧冷房の運転制御が開始されると、図１１の制御フローに基づき細霧冷房の制御がなされる。室内温度センサ２８の検出温度及び室内湿度センサ３０の検出湿度が制御部２５に入力され、検出温度が設定温度より高いか否かの判定、及び、検出湿度が設定湿度より低いか否かの判定がなされる。そして、室内検出温度が設定温度より高い（且つ、または、検出湿度が設定湿度より低い）場合には、細霧冷房が開始される。すると、初めに、第１区画室１ａの細霧冷房運転指令が出され、第１供給弁３７が開調節、第１・第２逃し弁４１，４３が閉調節され、第１区画室１ａの細霧冷房が開始される。次いで、設定細霧冷房運転時間が終了すると、第１供給弁３７が閉調節されて第１区画室１ａの細霧冷房運転が終了する。
【００３５】
次いで、第２区画室１ｂの細霧冷房運転指令が出される。すると、第２供給弁３９が開調節、第１・第２逃し弁４１，４３が閉調節され、第２区画室１ｂの細霧冷房が開始される。次いで、設定細霧冷房運転時間が終了すると、第２供給弁３９が閉調節、第１・第２逃し弁４１，４３が開調節されて第２区画室１ｂの細霧冷房運転が終了する。なお、このようにして、第１・第２区画室１ａ，１ｂの細霧冷房運転が終了すると、制御フローの初めに復帰し、同様の制御がなされる。
【００３６】
なお、図１２は細霧ポンプ２１、第１供給弁３７、第２供給弁３９、第１逃し弁４１、第２逃し弁４３、室内温度センサ２８、室内湿度センサ３０の作動状態を示すタイムチャートである。
細霧冷房制御の従来技術として、例えば特開平１１−１５５３８９号公報の発明がある。この発明は、温室全体を細霧冷房したり細霧冷房の中止をするもので、比較的大容量の細霧ポンプを必要とし、コスト高となる。
【００３７】
しかし、この実施例の細霧冷房制御は、前記のように温室１を複数の区画に区分し順次細霧冷房制御を実行するので、細霧ポンプ２１の容量を区画室に合わせて比較的小さくすることができ、また、室内温度センサ２８、室内湿度センサ３０を区画室の何れか一つに設置しその数を少なくすることができ、また、簡単な制御方法により温室１における第１・第２区画室１ａ，１ｂの温度及び湿度を略均等に制御することができる。
【図面の簡単な説明】
【図１】温室の切断正面図、要部の平面図である。
【図２】温室の切断平面図である。
【図３】要部の斜視図である。
【図４】温室の他の実施例を示す切断平面図である。
【図５】要部の側面図である。
【図６】要部の正面図である。
【図７】要部の側面図、平面図である。
【図８】要部の切断正面図、斜視図である。
【図９】温室の切断平面図である。
【図１０】制御ブロック図である。
【図１１】フローチャートである。
【図１２】タイムチャートである。
【符号の説明】
１    温室
２    通路
４    温湯供給パイプ
５    温湯還流パイプ
６    供給パイプ
６ａ    折り返し行程部
７    ボイラ
１１    栽培ベッド
【図１】
2004201528.tif 000003
【図２】
2004201528.tif 000004
【図３】
2004201528.tif 000005
【図４】
2004201528.tif 000006
【図５】
2004201528.tif 000007
【図６】
2004201528.tif 000008
【図７】
2004201528.tif 000009
【図８】
2004201528.tif 000010
【図９】
2004201528.tif 000011
【図１０】
2004201528.tif 000012
【図１１】
2004201528.tif 000013
【図１２】
2004201528.tif 000014